【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】無線送信装置および無線受信装置
【手続補正２】
【補正対象書類名】明細書
【補正対象項目名】特許請求の範囲
【補正方法】変更
【補正の内容】
【特許請求の範囲】
【請求項１】
複数の無線通信装置からなる無線通信ネットワークにおいて、情報を送信する無線送信装置であって、
制御データ及び情報データをＯＦＤＭ変調するデータ変調手段と、
同期検出用符号系列をＯＦＤＭ変調し、変調信号のうち所定の部分信号を用いて同期信号を発生する同期信号発生手段と、
上記同期信号と制御データと情報データを含むフレームを生成するフレーム生成手段と、
上記フレームを送信する送信手段と、
を有することを特徴とする無線送信装置。
【請求項２】
上記同期信号は、実数部の信号からなる、
ことを特徴とする請求項１記載の無線送信装置。
【請求項３】
上記同期信号は、虚数部の信号からなる、
ことを特徴とする請求項１記載の無線送信装置。
【請求項４】
上記送信手段は、上記同期信号を少なくとも２回送信する
ことを特徴とする請求項１記載の無線送信装置。
【請求項５】
上記送信手段は、上記同期信号を少なくとも２回送信し、そのうち先頭及び／または最終の同期信号は、上記同期信号発生手段によって発生される同期信号を１８０度位相回転した信号である
ことを特徴とする請求項１記載の無線送信装置。
【請求項６】
上記同期信号発生手段は、上記同期信号を生成するとき、複数のサブキャリアのうち、ｍ（ｍは自然数、ｍ＞１）個おきにデータを設定して変調を行う
ことを特徴とする請求項１記載の無線送信装置。
【請求項７】
複数の無線通信装置からなる無線通信ネットワークにおいて、情報を受信する受信装置であって、
同期検出用符号系列をＯＦＤＭ変調し、変調信号のうち所定の部分信号を用いて形成される同期信号と、ＯＦＤＭ方式で変調された制御データ及び情報データを含むフレームを受信する受信手段と、
上記同期信号を検出する同期検出手段と、
を有することを特徴とする無線受信装置。
【請求項８】
上記同期検出手段により設定されるタイマ手段と、
上記同期検出手段によって上記同期信号を検出したタイミングに応じて上記タイマを設定し、上記タイマを基準に受信タイミングを設定する通信制御手段とをさらに備える、
ことを特徴とする請求項７の無線受信装置。
【請求項９】
上記同期検出手段は、受信信号のうち実数部と虚数部をそれぞれ所定の同期検出パターンデータとの相関演算を行い、実数部と虚数部の相関値を算出する相関演算回路を有する
ことを特徴とする請求項７記載の無線受信装置。
【請求項１０】
上記同期検出手段は、上記実数部と虚数部の相関値に基づいて絶対値を算出する絶対値演算回路と、
上記絶対値と所定のしきい値とを比較し、当該比較結果に応じて、上記同期信号の検出タイミングを示す同期検出信号を出力する比較回路とを有する
ことを特徴とする請求項９記載の無線受信装置。
【手続補正３】
【補正対象書類名】明細書
【補正対象項目名】０００１
【補正方法】変更
【補正の内容】
【０００１】
【発明の属する技術分野】
本発明は、複数の端末を無線で接続する無線ＬＡＮなどの無線送信装置および無線受信装置に関するものである。
【手続補正４】
【補正対象書類名】明細書
【補正対象項目名】００１０
【補正方法】変更
【補正の内容】
【００１０】
例えば、同期信号として、３２サンプルのデータを用いることを例として考察する。同期信号をＰＮ符号で構成された場合、相関器は複素数と実数との乗算回路３２段によって構成することができる。一方、同期信号をＯＦＤＭ変調信号によって構成された場合、相関器を構成するために、複素数同士の乗算回路を３２段備えなければならない。このため、実数部のみからなるＰＮ符号の同期信号を検出する場合に比べて、複素数のＯＦＤＭ変調信号の同期信号を検出する場合、相関器の規模がほぼ４倍に膨らむという不利益がある。さらに、ＰＮ符号の場合は、乗算器は実質的に加算回路によって実現でき、非常に簡単な回路構成で実現できるが、複素数であるＯＦＤＭ変調信号の場合、単に加算回路では実現することが困難である。
【手続補正５】
【補正対象書類名】明細書
【補正対象項目名】００１１
【補正方法】変更
【補正の内容】
【００１１】
本発明は、かかる事情に鑑みてなされたものであり、その目的は、ＯＦＤＭ変調信号によって同期信号を構成する場合、同期信号の検出を容易に実現でき、検出精度を維持しながら、検出回路の構成を簡素化できる無線送信装置および無線受信装置を提供することにある。
【手続補正６】
【補正対象書類名】明細書
【補正対象項目名】００１２
【補正方法】変更
【補正の内容】
【００１２】
【課題を解決するための手段】
上記目的を達成するため、本発明の無線送信装置は、複数の無線通信装置からなる無線通信ネットワークにおいて、情報を送信する無線送信装置であって、制御データ及び情報データをＯＦＤＭ変調するデータ変調手段と、同期検出用符号系列をＯＦＤＭ変調し、変調信号のうち所定の部分信号を用いて同期信号を発生する同期信号発生手段と、上記同期信号と制御データと情報データを含むフレームを生成するフレーム生成手段と、上記フレームを送信する送信手段と、を有する。
本発明の無線受信装置は、複数の無線通信装置からなる無線通信ネットワークにおいて、情報を受信する受信装置であって、同期検出用符号系列をＯＦＤＭ変調し、変調信号のうち所定の部分信号を用いて形成される同期信号と、ＯＦＤＭ方式で変調された制御データ及び情報データを含むフレームを受信する受信手段と、上記同期信号を検出する同期検出手段と、を有する。
また、本発明の無線通信システムは、無線通信端末と、上記無線通信端末を制御する無線通信制御端末とを有する無線通信システムであって、上記無線通信制御端末は、データの送受信をＯＦＤＭ方式で行う送信手段及び受信手段と、同期検出用符号系列をＯＦＤＭ変調し、変調信号のうち所定の部分信号を用いて同期信号を発生する同期信号発生手段とを備え、上記無線通信端末は、データの送受信をＯＦＤＭ方式で行う送信手段及び受信手段と、同期信号を検出する同期検出手段と、上記同期検出手段により設定されるタイマ手段とを備え、上記無線通信端末と上記無線通信制御端末との間は、ＯＦＤＭ方式でデータを変調し、所定シンボル数のフレーム構造でＴＤＭＡ方式でデータの多重化を行い、上記無線通信制御端末は、上記フレーム毎に上記無線通信端末に上記同期信号を送信する同期信号送信手段と、上記無線通信端末は、上記同期検出手段によって上記同期信号を検出したタイミングに応じて上記タイマを設定し、上記タイマを基準に送信及び受信タイミングを設定する通信制御手段とを有する。
【手続補正７】
【補正対象書類名】明細書
【補正対象項目名】００７１
【補正方法】変更
【補正の内容】
【００７１】
スイッチ１１０及び１１６は、選択制御信号ＳW に応じて、入力信号を選択する。なお、選択制御信号ＳW は、例えば、通信ユニット１０５のコントローラ２８によって供給される。各フレームの先頭に同期信号を送信する場合、スイッチ１１０によって同期符号系列が選択され、シリアル／パラレル変換回路１１３によって変換され、ＩＦＦＴ回路１１４に入力される。この場合、同期信号発生回路３１によって生成される同期符号は、例えば、図１０に示すデータ系列｛ｘ0 ，ｘ1 ，ｘ2 ，…，ｘ63｝である。当該データ系列がＩＦＦＴ処理後、実数部と虚数部がそれぞれ生成される。
【手続補正８】
【補正対象書類名】明細書
【補正対象項目名】００９６
【補正方法】変更
【補正の内容】
【００９６】
【発明の効果】
以上説明したように、本発明によれば、データをＯＦＤＭ方式で送り、１フレームを単位としてＴＤＭＡによりデータ通信を行う。そして、各々のフレームの先頭にＯＦＤＭ波の同期信号を送信する。同期符号に対してＯＦＤＭ変調した符号系列のうち、実数部または虚数部の何れかを用いて同期信号を形成することによって、受信側において、実数の相関演算処理のみで同期信号を検出でき、同期検出回路を簡素化でき、小規模の回路によって同期信号を検出でき、送受信のタイミングを高精度で制御できる利点がある。